(57)【要約】      （修正有）【課題】  取り扱いが容易であり、且つ接続が完了されない限り、雄コネクタを雌コネクタから分離する力を発生する雄コネクタを提供する。【解決手段】  雄コネクタ１３は、ロック支柱２３を設けられた弾性のロックアーム２１ スライダ２９を有しており、スライダ２９は軸方向に制限されて移動可能に保持されている。ロック位置においてスライダ２９はロックアーム２１の偏向を阻止し、またロック位置と異なる位置においてロックアームを解放する。雄コネクタハウジング１４及びスライダ２９に支持される圧縮バネ２７は、その錠止位置を取るようにスライダ２９に作用する。鋼の丸いワイヤから作られる弾性の係止要素３５がスライダ２９上に取付けられる。バネ脚部３７の無負荷状態において、係止要素３５は雌コネクタハウジングの端面６に接触する。雄コネクタハウジング１４の解放面の当接によって雌コネクタハウジングの端面への接触から外される。【選択図】      図２
2004200147.tif 000002
【特許請求の範囲】
【請求項１】
雌コネクタ（１）に接続するための雄コネクタ（１３）であって、
前記雌コネクタ（１）が雌コネクタハウジング（２）を備えており、
前記雌コネクタハウジング（２）が、
第１長手方向軸（３）と、
壁（４）によって囲まれ、且つ前記雌コネクタハウジング（２）の一端面（６）において開口されると共に該一端面（６）に対して間隔が置かれた一端を基部（８）によって閉塞された挿入室（５）と、を有しており、
複数の第１接点（７）が、前記第１長手方向軸（３）に対して平行に、且つ前記基部（８）から前記挿入室（５）に突出して前記雌コネクタハウジング（２）に配置され、
少なくとも１つの係止突起（１０）が、前記挿入室（５）を囲む前記壁（４）の外方面（９）上に突出して配置され、
前記雄コネクタ（１３）が、
雄コネクタハウジング（１４）と、
スライダ（２９）と、
少なくとも１つの圧縮バネ（２７）と、
弾性の係止要素（３５）と、を備え、
前記雄コネクタハウジング（１４）が、第２長手方向軸（１５）と、前記第１接点（７）に嵌合して電気的に接続される複数の第２接点への到達を可能にする端面（１７）が設けられると共に２本の長手方向軸（３，１５）が互いに平行に配置されるときに前記挿入室（５）に挿入可能な第１ハウジング部（１６）と、前記雌コネクタハウジング（２）に接続しているときに前記係止突起（１０）に対向するように配置されるロック手段（２３）を設けられた弾性的に偏向可能なロックアーム（２１）と、を有し、
前記スライダ（２９）が、解放位置とロック位置との間を前記第２長手方向軸（１５）に沿って変位可能に前記雄コネクタハウジング（１４）に支持され、且つロック位置において前記ロックアーム（２１）の偏向を防止し、
前記圧縮バネ（２７）が、一方を前記雄コネクタハウジング（１４）に支持されると共に他方を前記スライダ（２９）に支持され、且つ前記スライダ（２９）がロック位置に位置するように前記スライダ（２９）に作用し、
前記係止要素（３５）が、鋼ワイヤから形成されており、互いに間隔を置かれて接続部（３６）から延びている２本のバネ脚部（３７）と、該各バネ脚部（３７）にそれぞれ角度をもって取付けられると共に前記第２長手方向軸（１５）に対して直角に且つ互いにオフセットして平行に前記スライダ（２９）に設けられた別個の挿入孔（３３，３４）にそれぞれ係合する取付け部分（３９）と、を有する
ことを特徴とする雄コネクタ。
【発明の詳細な説明】
【技術分野】
【０００１】
本発明は、雌コネクタに接続するための係止要素を備えた雄コネクタに関する。該雄コネクタは、第１長手方向軸と、壁によって囲まれ且つ雌コネクタハウジングの一端面において開口されると共に該一端面に対して間隔が置かれた一端を基部によって閉塞された挿入室と、が設けられた雌コネクタハウジングを有する雌コネクタとの接続が見込まれる。前記雌コネクタハウジングには、前記第１長手方向軸に平行に前記基部から前記挿入室に突出して第１接続端子が配置されている。前記挿入室を囲む前記壁の外方面上には、係止突起が突出して設けられている。該係止突起は、前記一端面から前記基部に向けて上昇するように前記外方面から隆起された当接面と、前記当接面の前記基部側において前記外方面方向に延びる係止面とを有している。
【背景技術】
【０００２】
従来から、雌コネクタに接続される雄コネクタが知られている（例えば、特許文献１〜特許文献４参照）。
【０００３】
【特許文献１】欧州特許第０８９６３９６Ａ２号明細書
【特許文献２】独国特許出願公開第１９８２８９６８Ａ１号明細書
【特許文献３】独国特許出願公開第１００５２９７０Ａ１号明細書
【特許文献４】欧州特許第１０８９３９３Ａ１号明細書
【発明の開示】
【発明が解決しようとする課題】
【０００４】
特許文献１は雌コネクタおよび雄コネクタより構成されるコネクタを開示している。雌コネクタは雌コネクタハウジングと、壁によって囲まれた挿入室とを有している。挿入室は雌コネクタハウジングの一端面において開放され、且つ一端面に対して間隔を置かれた端部を基部によって閉ざされている。雌コネクタは接続方向を規定する第１長手方向軸を有している。雌コネクタハウジングには第１接点が配置されている。第１接点は第１長手方向軸に対して平行に整列され、且つ基部から挿入室に突出している。挿入室を囲んでいる壁の外方面上には係止突起が突出して設けられている。スライダがロック位置に配置され、それによりロックアームの無負荷位置からの変位を阻止する際に、スライダによってロックされ、且つ弾性的に変位可能な係止アームが雄コネクタに設けられている。スライダには複数の圧縮バネが配置されており、圧縮バネは、スライダではなくクロスバーにより支持される端部において互いに接続されている。ロックアームは、雄コネクタを雌コネクタに挿入する際に、係止突起に当接する傾斜面を有している。この場合、スライダは、スライダの係止面とロックアームとが接触しない位置に配置されている。このため、ロックアームは係止手段により暫定的な（予備的な）位置に保持されている。雄コネクタが雌コネクタに挿入される際に、フック状突起を備えたロックアームが係止突起に当接するだけでなく、２つの圧縮バネを互いに接続するクロスバーが雌コネクタの端面に当接するようになる。雄コネクタがさらに挿入されると、バネが負荷される。ロックアームのフック状突起は係止突起の上を摺動して通過する。これにより、ロックアームは、そのロック面が係止突起の後部と係合する位置に到達する。これにより、圧縮バネはそれらの作用（即ち、係止手段がスライダを解放すること）により解放され、その結果、バネ力によりスライダは係止突起から離間され、スライダの係止面がロックアームの上に乗り、ロックアームの変位を防止して係合位置に係止する。また、それにより係止手段は元の位置に戻され、その結果、バネはもはや負荷状態にない。解放のためには、スライダは雄コネクタの分離方向とは反対方向に動かされねばならず、それによりロックアームが解放される。圧縮バネの支持のために十分に大きな接触面を確保するために、圧縮バネの延長部の延長に配置される、即ち接続方向に互いに平行に且つ雌コネクタの端面から係止突起まで延設されるリブが、雌コネクタハウジングに設けられていれる。
【０００５】
取り外しのために、スライダは、先ず、ロックアームが解放される程度まで雌コネクタ方向に移動される。これによって、圧縮バネは部分的に負荷され、且つ係止手段がスライダをこの位置にロックする。この位置において、スライダの解放部分は作用され（即ちスライダは下方に付勢され）、それにより、解放部分はその下方に配置されたロックアームの突起に作用する。従って、ロックアームがシーソー状に懸架されるので、ロックアームのフック状突起は雌コネクタの係止突起との係合から解放される。雄コネクタが引っ張られると、雄コネクタは雌コネクタから分離される。この作業は厄介であり、特に安全な作業が要求される場合に、スライダに作用する圧縮バネを確実に支持するための雌コネクタ上のリブ状の追加の手段を必要とする。コネクタを解放する（即ち、雌コネクタから雄コネクタを解放する）際に、位置決めしているスライダを移動させ、雌コネクタの係止突起からロックアームを解放する方向の、ロックアームへの力の印加を該スライダの動作部分により可能とする位置にスライダを配置するために、スライダは解放方向と反対方向に最初に動かされねばならない、という取り扱いは、さらに不利である。同時に、雄コネクタを雌コネクタから分離するように雄コネクタが引っ張られねばならない。
【０００６】
特許文献２は、同時に雌コネクタの接点用短絡バーとして機能する板バネ状係止要素を有する雌コネクタと、雄コネクタとを備えたコネクタに関する。係止要素は２本の係止脚部を有しており、各係止脚部は、それぞれ雄コネクタの突起と接触し、且つ接続の間中変形される。その結果、突起は、それぞれ係止脚部の鋭い屈曲を乗り越えるように摺動し、その後元に戻り、その結果雄コネクタが雌コネクタに固定される。さらに、雄コネクタと雌コネクタの接続が解除された状態において雌コネクタの接点に接触する２本の接触脚部が設けられており、これら２本の接触脚部は保持要素の一部分であり、金属から作られ、故に電気伝導性を有する。従って、分離された状態において、短絡接点が接触脚部を介して接点間に形成される。これらは、雄コネクタを挿入する際に雌コネクタの接点との接触から外される。
【０００７】
特許文献３は、雌コネクタおよび雄コネクタを備えるコネクタを記載しており、該雄コネクタにはスライダが配置され、このスライダは圧縮バネと一体に形成され、圧縮バネは、挿入の間に、先ず負荷され、接続状態が完了されない限り排除力を発生する。さらに、接続状態においてスライダは保持要素として機能する。圧縮バネとして形成される弾性部分は蛇状に屈曲された板バネ状部分を含んでいる。
【０００８】
特許文献４は、壁によって囲まれる挿入室を有し、且つ挿入室に雄コネクタを挿入される雌コネクタを記載している。水密構造を達成するために、雄コネクタは雌コネクタの挿入室に進入する部分に、挿入室の内方面に接触する密封体を有している。雌コネクタの挿入室に進入する雄コネクタ部分は、雄コネクタの後部区域に対して、断面について先細るように形成される。
【０００９】
本発明は、前述した事情に鑑みてなされたものであり、その目的は、一般的な雌コネクタ（即ち、少なくとも１つの係止突起が設けられた雌コネクタ）用の雄コネクタであって、取り扱いが容易であり、且つ接続が完了されない限り、雄コネクタを雌コネクタから分離する力を発生する雄コネクタを提供することにある。
【課題を解決するための手段】
【００１０】
前述した目的を達成するため、本発明に係る雄コネクタは下記の点を特徴としている。
【００１１】
雄コネクタハウジングと、
スライダと、
少なくとも１つの圧縮バネと、
弾性の係止要素と、を備え、
前記雄コネクタハウジングが、第２長手方向軸と、前記第１接点に嵌合して電気的に接続される複数の第２接点への到達を可能にする端面が設けられると共に２本の長手方向軸が互いに平行に配置されるときに前記挿入室に挿入可能な第１ハウジング部と、前記雌コネクタハウジングに接続しているときに前記係止突起に対向するように配置されるロック手段を設けられた弾性的に偏向可能なロックアームと、を有し、
前記スライダが、解放位置とロック位置との間を前記第２長手方向軸に沿って変位可能に前記雄コネクタハウジングに支持され、且つロック位置において前記ロックアームの偏向を防止し、
前記圧縮バネが、一方を前記雄コネクタハウジングに支持されると共に他方を前記スライダに支持され、且つ前記スライダがロック位置に位置するように前記スライダに作用し、
前記係止要素が、鋼ワイヤから形成されており、互いに間隔を置かれて接続部から延びている２本のバネ脚部と、該各バネ脚部にそれぞれ角度をもって取付けられると共に前記第２長手方向軸に対して直角に且つ互いにオフセットして平行に前記スライダに設けられた別個の挿入孔にそれぞれ係合する取付け部分と、を有する。
【発明の効果】
【００１２】
上記のように構成された雄コネクタにおける利点は、該雄コネクタを少なくとも１つの係止突起を有する一般的な雌コネクタとの接続に用いることができ、結果、雌コネクタを変更することなく、雄コネクタが雌コネクタとのロック完了位置に達しない限り、雄コネクタを雌コネクタから分離し得ることが保証されるということである。さらに、接続の際に雄コネクタハウジングのみを操作するだけでよく、即ち、雌コネクタハウジングに対して（言い換えれば、雌コネクタハウジングの基部に向けて）雄コネクタハウジングを動かすだけでよく、取り扱いが簡素化される。板バネ状の係止要素が雌コネクタハウジングの端面との有効な係合から外れることにより、雄コネクタハウジングとスライダとの間に圧縮バネの力が作用するようになるので、ロックアームの係止を完了するためのスライダの解放が、雌コネクタに対する雄コネクタの位置に応じて自動的に達成される。スライダは、ロックアームを固定して解放位置への変位を防止するように、雌コネクタハウジングおよび雄コネクタハウジングに対して変位される。この位置は、雌コネクタから雄コネクタを分離すために分離方向にのみスライダが作用されることにより、容易に解除される。さらに、重要な利点は、係止要素が別個の構成要素、即ち実質的に磨耗または硬化を示さない材料から作られるスライダと分離された構成要素であるということである。スライダのオフセット挿入孔に係合する取付け部の配置とともに、係止要素の上記の構成によれば、スライダへの係止要素の取付けが小スペースで済み、そして必要とされるバネ軌道を用意することに対して好適なので、コンパクトな設計が達成される。
【００１３】
好ましくは、各バネ脚部が、接続部と交差して該接続部から離間するように、巻回部分を介して接続部から連続する。また、各取付け部分が互いにオフセットして平行となるように、各バネ脚部が接続部分から延設されることが組立時に好適である。好ましくは、係止要素は円形のワイヤから形成される。また、係止要素がステンレス鋼から製造されることが好適である。
【００１４】
雌コネクタと雄コネクタとのロック完了状態において、鋼から作られた係止要素は通常位置から弾性的に変位させられる（即ち、雌コネクタハウジングが雄コネクタに接続されている限り応力負荷されている）ので、好ましくは、係止要素はステンレス鋼から製造される。
【発明を実施するための最良の形態】
【００１５】
以下、本発明に係る好適な実施形態を図面に基づいて詳細に説明する。
【００１６】
図１は雌コネクタの斜視図、図２は接続される前の雄コネクタと雌コネクタの斜視図、図３は接続される途中の雄コネクタと雌コネクタの斜視図、図４は接続を完了された雄コネクタと雌コネクタの斜視図、そして、図５は係止要素の斜視図である。
【００１７】
図１には従来技術による雌コネクタ１が示されている。雌コネクタ１は第１長手方向軸３を有する雌コネクタハウジング２を備えている。雌コネクタハウジング２は、さらに、その開口断面において角丸めされた矩形の挿入室５を囲む壁４を有している。挿入室５は端面６において開口されており、且つ端面６と間隔を置かれた端部を基部８により閉塞されている。端面６は、好ましくは、挿入室５に向かって面取りをされている。ピン型の第１接点７が基部８から突出している。第１接点７は第１長手方向軸３に対して平行に整列されている。壁４の外方面９上には係止突起１０が設けられており、係止突起１０は当接面１１を有し、当接面１１は端面６側の端部から基部８に向けて上昇するように外方面９から隆起されている。係止面１２は係止突起１０に続いて外方面９の方向に（詳細には、好ましくは外方面９に垂直に、また必要に応じてアンダーカットを有して）延びている。
【００１８】
図２において雄コネクタ１３が雌コネクタ１から分離して示されており、該雄コネクタ１３は雄コネクタハウジング１４を有している。雄コネクタハウジング１４は第２長手方向軸１５を有している。雄コネクタハウジング１４は、雌コネクタ１に接続される際に図１に示す挿入室５に挿入される第１ハウジング部分１６を有している。このために、第１長手方向軸３と第２長手方向軸１５は互いに一直線に整列される。第１ハウジング部分１６は端面１７から延設されており、端面１７には挿入室に連通する開口が設けられており、該挿入室には雌接続端子型の第２接点が挿入されており、該第２接点は固定要素１８により固定されている。
【００１９】
第１ハウジング部分１６には、断面において縮小された密封体用着座部を有する中間部１９、および第２ハウジング部分２０が連設されている。第１ハウジング部分１６の断面は雌コネクタ１の雌コネクタハウジング２の挿入室５の断面に略適合させられており、即ち、角丸めされた略矩形状とされている。雄コネクタハウジング１４の幅広な面上にはロックアーム２１が配置されている。ロックアーム２１は、互いに間隔を置いて平行に配置され且つ端面１７から間隔が置かれた端部において雌コネクタハウジング１４と一体に形成された２本の長手方向支柱２２を備えて枠状に形成されている。端面１７に近接した２本の長手方向支柱２２の各端部は、横架するように延びるロック支柱２３によって互いに接続されており、ロック支柱２３は雌コネクタ１の係止突起１０と係合してロックするロック手段として機能する。
【００２０】
ロック支柱２３に近接した長手方向支柱２２の端部にはロック突起２４が設けられている。ロック突起２４が設けられている長手方向支柱２２の端部に対して他端側の領域には、端面１７から離れて第２長手方向軸１５から離間する少なくとも１つの解放面２５が２本の長手方向支柱２２に隣接して設けられている。さらに、ロックアーム２１の長手方向支柱２２の側部領域には、圧縮バネ２７の一端を支持する２つの第１バネ支持体２６が配置されている。ロック支柱２３は、その下方側に、第１バネ支持体２６から離れて第２長手方向軸１５から離間する調整面２８を有している。
【００２１】
雄コネクタハウジング１４は筒状のスライダ２９によって囲まれている。スライダ２９は、その内方室に、一端を支持された圧縮バネ２７の他端面に対向して接触する２つのバネ支持体３０を有している。第２バネ支持体３０に対向する面には、不図示の調整凹部が設けられており、スライダ２９が雄コネクタハウジング１４上に取付けられた状態において、前記調整凹部は雄コネクタハウジング１４の不図示の作動当接部と協働して、雄コネクタハウジング１４に対して第２長手方向軸１５に沿うスライダ２９の運動を制限する。さらに、スライダ２９には図示されないロック当接部が設けられており、雄コネクタ１３と雌コネクタ１とが完全に接続された状態において、前記ロック当接部は雌コネクタハウジング２上にロックアーム２１を係止して、その変位を防止する。即ち前記ロック当接部はロック突起２４に対向して配置されている。
【００２２】
スライダ２９の第２バネ支持体３０を設けられた端部には、２つの解放突起３１が設けられており、雄コネクタ１３を雌コネクタ１から分離する際に、解放突起３１がロックアーム２１を解放するように機能する。スライダ２９を引っ張ると、ロックアーム２１は第２長手方向軸１５から離間するように無負荷位置から弾性的に変位させられ、そして雄コネクタハウジング１４が雌コネクタハウジング２から引き抜かれる前に、雌コネクタ１の係止突起１０に方向に移動される。さらに、スライダ２９は、第２長手方向軸１５に対して横方向に伸び且つ互いに平行にオフセットした挿入孔３３，３４を設けられた耳片３２を有している。
【００２３】
図５に示されるように、係止要素３５はスライダ２９に配置されている。係止要素３５はステンレス鋼から作られる円形のワイヤからなっている。
【００２４】
２本のバネ脚部３７は接続部分３６から横方向に突出している。バネ脚部３７は巻回部分３８を介して接続部分３６の端部と連続しており、その結果バネ脚部３７は接続部分３６から横方向に出発している。接続部分３６から間隔が置かれた各バネ脚部３７の端部には、取付け部分３９が、バネ脚部３７に対して角度をもって連接されている。各取付け部分３９は接続部分３６と平行に且つ互いに向かい合う方向に延長されている。また、各取付け部分３９は互いに平行に延長されている。各取付け部分３９は図２に示されるスライダ２９の係止耳片３２の互いにオフセットされた挿入孔３３，３４にそれぞれ受容されている。これにより、旋回運動を開始するとき、巻回部分３８および接続部分３６には、それぞれ対向モーメントが発生する。
【００２５】
圧縮バネ２７は、スライダ２９が雄コネクタハウジング１４上で図２に示す位置を取るように、スライダ２９に作用する。第１ハウジング部分１６は、第１長手方向軸３および第２長手方向軸１５を互いに整列させて、雌コネクタハウジング２の挿入室５に挿入される。これにより、巻回部分３８および接続部分３６と共に係止要素３５は、端面６または雌コネクタ１の挿入室５に向かって端面６に続いている前記面取りに対して静止するようになる。係止要素３５は無負荷状態にある。雌コネクタ１および雄コネクタ１３がさらに接続方向に移動されると（図３参照）、第１ハウジング部分１６は挿入室５内により深く挿入されるが、一方でスライダ２９は雌コネクタ１に対して静止した状態を保たれる。同時に、ロックアーム２１は解放され、且つ弾性的に変位させられてロック支柱２３と共に係止突起１０の当接面１１上を摺動して通過し、そして係止面１２の後部に係合する。
【００２６】
スライダ２９の雌コネクタ１側の端面は、もはや、ハウジング部分１６の端面１７と同一平面上に位置しておらず、すでにロック支柱２３に近接している。
【００２７】
上記の動作の間に、第１接点７は、係止要素３５の巻回部分３８または接続部分３７それぞれの下で、雄コネクタハウジング１４のハウジング部分１６内により深く移動され、その結果、同時にまたは雄コネクタハウジング１４が挿入室５へさらに挿入される際に、端面１７が雌コネクタ１の基部８に向かって接近する間に、係止要素３５は偏向され、それにより、係止要素３５の巻回部分３８は雌コネクタ１の端面６との接触から外れる。雄コネクタ１４が雌コネクタ１への挿入される間に負荷された圧縮バネ２７が伸張し、スライダ２９を雄コネクタハウジング１４に対して基部８の方向に移動させ、それによって係止要素３５は雌コネクタ１の外方面９上を摺動する。この状態において、圧縮バネ２７は弛緩され、スライダ２９は雄コネクタハウジング１４に対して図２および図４に示す位置に復帰し、その位置においてロックアーム２１は固定され、第２長手方向軸１５から離間する変位を防止される。
【００２８】
無負荷状態への係止要素３５の移動はスライダ２９の耳片３２上の当接部によって制限される。
【００２９】
雄コネクタ１３を雌コネクタ１から分離するために、スライダ２９は基部８から離間する方向に移動され、それにより解放突起３１がロックアーム２１の調整面２８の下に進入し、そしてロックアーム２１を持ち上げて、ロックアーム２１は係止突起１０との係合から解放される。
【００３０】
上述した本発明の特徴を以下第１項〜第４項に簡潔に纏めて列記する。
【００３１】
１．雌コネクタ（１）に接続するための雄コネクタ（１３）であって、
前記雌コネクタ（１）が雌コネクタハウジング（２）を備えており、
前記雌コネクタハウジング（２）が、
第１長手方向軸（３）と、
壁（４）によって囲まれ、且つ前記雌コネクタハウジング（２）の一端面（６）において開口されると共に該一端面（６）に対して間隔が置かれた一端を基部（８）によって閉塞された挿入室（５）と、を有しており、
複数の第１接点（７）が、前記第１長手方向軸（３）に対して平行に、且つ前記基部（８）から前記挿入室（５）に突出して前記雌コネクタハウジング（２）に配置され、
少なくとも１つの係止突起（１０）が、前記挿入室（５）を囲む前記壁（４）の外方面（９）上に突出して配置され、
前記雄コネクタ（１３）が、
雄コネクタハウジング（１４）と、
スライダ（２９）と、
少なくとも１つの圧縮バネ（２７）と、
弾性の係止要素（３５）と、を備え、
前記雄コネクタハウジング（１４）が、第２長手方向軸（１５）と、前記第１接点（７）に嵌合して電気的に接続される複数の第２接点への到達を可能にする端面（１７）が設けられると共に２本の長手方向軸（３，１５）が互いに平行に配置されるときに前記挿入室（５）に挿入可能な第１ハウジング部（１６）と、前記雌コネクタハウジング（２）に接続しているときに前記係止突起（１０）に対向するように配置されるロック手段（２３）を設けられた弾性的に偏向可能なロックアーム（２１）と、を有し、
前記スライダ（２９）が、解放位置とロック位置との間を前記第２長手方向軸（１５）に沿って変位可能に前記雄コネクタハウジング（１４）に支持され、且つロック位置において前記ロックアーム（２１）の偏向を防止し、
前記圧縮バネ（２７）が、一方を前記雄コネクタハウジング（１４）に支持されると共に他方を前記スライダ（２９）に支持され、且つ前記スライダ（２９）がロック位置に位置するように前記スライダ（２９）に作用し、
前記係止要素（３５）が、鋼ワイヤから形成されており、互いに間隔を置かれて接続部（３６）から延びている２本のバネ脚部（３７）と、該各バネ脚部（３７）にそれぞれ角度をもって取付けられると共に前記第２長手方向軸（１５）に対して直角に且つ互いにオフセットして平行に前記スライダ（２９）に設けられた別個の挿入孔（３３，３４）にそれぞれ係合する取付け部分（３９）と、を有する
ことを特徴とする雄コネクタ。
【００３２】
２．上記第１項に記載された雄コネクタにおいて、各バネ脚部（３７）が、前記接続部分（３６）と交差して該接続部分（３６）から離れるように、巻回部分（３８）を介して前記接続部分（３６）から連続していることを特徴とする雄コネクタ。
【００３３】
３．上記第１項に記載された雄コネクタにおいて、前記取付け部分（３９）が互いに平行にズレるように、前記各バネ脚部（３７）が前記接続部分（３６）から延設されていることを特徴とする雄コネクタ。
【００３４】
４．上記第１項に記載された雄コネクタにおいて、前記係止要素（３５）が円形のワイヤから作られていることを特徴とする雄コネクタ。
【図面の簡単な説明】
【００３５】
【図１】雌コネクタを示す斜視図である。
【図２】雄コネクタおよびこれを接続する前の雌コネクタを示す斜視図である。
【図３】部分的に接続された状態における雄コネクタと雌コネクタを示す斜視図である。
【図４】接続を完了された状態における雌コネクタと雄コネクタを示す斜視図である。
【図５】係止要素を示す斜視図である。
【符号の説明】
【００３６】
１  雌コネクタ
２  雌コネクタハウジング
３  第１長手方向軸
４  壁
５  挿入室
６  端面
７  第１接点
８  基部
９  外方面
１０  係止突起
１１  当接面
１２  係止面
１３  雄コネクタ
１４  雄コネクタハウジング
１５  第２長手方向軸
１６  第１ハウジング部分
１７  端面
１８  固定要素
１９  中間部
２０  第２ハウジング部分
２１  ロックアーム
２２  長手方向支柱
２３  ロック支柱
２４  ロック突起
２５  解放面
２６  第１バネ支持体
２７  圧縮バネ
２８  調整面
２９  スライダ
３０  第２バネ支持体
３１  解放突起
３２  耳片
３３  挿入孔
３４  挿入孔
３５  係止要素
３６  接続部分
３７  バネ脚部
３８  巻回部分
３９  取付け部分
【図１】
2004200147.tif 000003
【図２】
2004200147.tif 000004
【図３】
2004200147.tif 000005
【図４】
2004200147.tif 000006
【図５】
2004200147.tif 000007